(57)【要約】【課題】錘や釣糸が絡むことなく、収納にかさばらない釣のてんびん仕掛用錘。【解決手段】釣のてんびん仕掛用錘として、錘の内部に設けた貫通路の両開口部から硬質管を突出させ、突出している硬質管の外側に軟質弾性管を嵌めて硬質管よりも突出させ、軟質弾性管から適宜の長さを隔ててビーズと撚り戻しを介し釣糸を貫通路に通してある。なお、釣のてんびん仕掛用錘として、その底部が球面状をなし本体が円錐状であり、使用状態の縦位置で本体の頂点と側面の下方に開口する、曲折部が彎曲したＬ字状の貫通路を有しているとてんびん仕掛の作成上好適である。また、錘の底部が三角錐状をなし本体が底部に比し細長い三角錐状であり、使用状態の横位置で本体の頂点と底部の頂点とに開口する緩く彎曲した貫通路を有しているとてんびん仕掛けの作成上好適である。  【選択図】      図１
2005034035.tif 000002
【特許請求の範囲】
【請求項１】
錘の内部に設けた貫通路の両開口部から硬質管を突出させ、突出している硬質管の外側に軟質弾性管を嵌めて硬質管よりも突出させ、軟質弾性管から適宜の長さを隔ててビーズと撚り戻しを介し釣糸を貫通路に通してあるてんびん仕掛用錘。
【請求項２】
錘が球面状の底部をなし本体が円錐状であり、使用状態の縦位置で本体の頂点と側面の下方に開口する、曲折部が彎曲したＬ字状の貫通路を有する請求項１記載のてんびん仕掛用錘。
【請求項３】
錘が三角錐状の底部をなし本体が底部に比し細長い三角錐状であり、使用状態の横位置で本体の頂点と底部の頂点とに開口する緩く彎曲した貫通路を有する請求項１記載のてんびん仕掛用錘。
【発明の詳細な説明】
【技術分野】
【０００１】
本発明はてんびん仕掛用の錘に関する。
【背景技術】
【０００２】
従来、てんびんと称される仕掛が広く使用されており、色々の工夫がなされている。とくに、収納の際かさばらないようにしたものがあり、特許文献１には運搬、格納時に天秤杆をおもりから抜脱し、おもりに固着されている支杆と天秤杆を揃えてひとまとめにしておくことができ、使用時に支杆に対して直角をなす位置に天秤杆を挿着するようにしているとある。
【０００３】
また、特許文献２には錘体を貫通する貫通孔と、この貫通孔に着脱自在に挿通する挿通杆と、挿通杆の外側面にスライド係止する係止環を端部に設けた天秤杆とからなり、錘を貫通した挿通杆における錘の上下位置を選択して天秤杆を連結係止し、収納時に挿通杆と天秤杆を一体に収納できうようにしているとある。
【０００４】
しかしながら、てんびん仕掛において問題になるのは遠投したときのショックあるいは海流や海底の地形など様々な状況によって錘が天秤杆に絡み付くなどして、魚信を捕らえ難いというほか、釣針に掛かった魚の動きにより釣糸が絡み合ってしまうということである。特許文献３はこれを改善するため、環状の錘絡み防止ガイドを天秤に接続し、錘絡み防止ガイドの環状体内に錘を垂下するようにしているが、これでもなお充分とはいえない。
【特許文献１】特公平7-71439 号
【特許文献２】特開2002-65131号
【特許文献３】特開2002-78436号
【発明の開示】
【発明が解決しようとする課題】
【０００５】
本発明は使用において、錘や釣糸が絡むことなく、収納時もかさばらないてんびん仕掛の材料を提供せんとするものである。
【課題を解決するための手段】
【０００６】
ここにおいて本発明者は、釣りにおけるてんびん仕掛用の錘として、錘の内部に設けた貫通路錘の両開口部からし硬質管を突出させ、突出している硬質管の外側に軟質弾性管を嵌めて硬質管よりも突出させ、軟質弾性管から適宜の長さを隔ててビーズと撚り戻しを介し釣糸を貫通路に通してあるものを見出すに至った。なお、軟質弾性管ならびにビーズが蛍光着色されていると、とくに夜間において魚類が集まりやすく効果的である。
【０００７】
その上、てんびん仕掛の錘として、錘が球面状の底部をなし本体が円錐状であり使用状態の縦位置で本体の頂点と側面の下方に開口する、曲折部が彎曲したＬ字状の貫通路を有していると好適であることを見出した。
【０００８】
また、錘が三角錐状の底部をなし本体が底部に比し細長い三角錐状であり、使用状態の横位置で本体の頂点と底部の頂点とに開口する緩く彎曲した貫通路を有しているとてんびん仕掛用の錘として好適であることを見出した。
【発明の効果】
【０００９】
船釣りあるいは投げ釣り何れの場合でもこの仕掛を使用すれば、錘が釣り糸に絡むことなく、また、釣れた魚の動きによっても釣糸が絡むことなく、魚信を的確に感知することができ、漁獲が殖える。また、収納にも釣糸をまとめるだけでさほどかさばらない。
【発明を実施するための最良の形態】
【００１０】
錘１の貫通路２の開口部から突出させる硬質管３としては銅管や真鍮管などが好適である。錘１は鉛で作るので、貫通路２を鋳型に仕組むとともに予め硬質管３を鋳型に差し込んでおけば、貫通路２の開口部から硬質管３を容易に突出させることができ、硬質管３が抜け出ることはない。また、その突出部分の外側に嵌める軟質弾性管４としてはゴム管や軟質合成樹脂管などが好適で、軟質弾性管４はきつめのものを用いて脱離しないように嵌め、硬質管３から突出させる。突出部分は弾性があるので、屈折しても形状が復元しやすく、そのため、釣糸６が絡まないものと思われる。また、海中においは、軟質弾性管４が横向きになるので潮の流れになびきやすく揺動して餌が動き魚類の注目をそそるものと思われ、意外に漁獲が殖える。
【００１１】
撚り戻し７は回転自在の小円環と開閉自在の円環が一体になっている金属製のもので取付けた釣糸６が捩れないようになっており、釣糸６の連結などに使用されるものである。なお、てんびん仕掛に使用する錘１の底部が球面状をなし本体が円錐状であるものは、底部が接地し縦位置で使用するので、曲折部が彎曲したＬ字状貫通路による縦方向の釣糸を釣竿に繋ぎ、横方向の釣糸に釣針を繋いでてんびん仕掛を作る。また、てんびん仕掛に使用する錘の底部が三角錐状をなし本体が底部に比し細長い三角錐状であるものは、本体の一側面が接地し横位置で使用するので、緩く彎曲した貫通路により底部の頂点から軟質弾性管を経て横方向に出る釣糸に釣針に繋ぎ、本体の頂点から出る釣糸に釣竿を繋いでてんびん仕掛を作る。なお、錘の形状に応じて貫通路２の形状を異にするが、それはてんびん仕掛において釣糸６が移動しやすくするためである。また、釣糸６が軟質弾性管４に過剰に引き込まれることがないように釣糸６を軟質弾性管４から適宜の長さ隔ててビーズ（楕円球状体）５と撚り戻し７を介し貫通路２に通してあり、その長さは掛かった魚とのやりとりに必要なもので、使用する錘の大きさなどを考慮して釣り人各人が判断して決める。      
【００１２】
本発明のてんびん仕掛はいわゆる五目釣りなどにも適しており、カレイやアイナメなど多くの魚種に好適であり、釣糸は撚り糸でも充分である。餌はアオイソメなどが好適である。
【実施例】
【００１３】
以下、実施例により本発明をさらに具体的に説明する。図１に本発明による底部が球面状をなし本体が円錐状であるてんびん仕掛用錘の説明図を示す。硬質管３として外径３ｍｍの真鍮管を錘１（４０号）の貫通路２から３０ｍｍ突出させ、その外側に軟質弾性管４として外径５ｍｍ、厚さ約１．２ｍｍの蛍光着色のゴム管を嵌め真鍮管から３５ｍｍ突出させてある。そのうえ、釣糸６を軟質弾性管４の開口端から適宜の長さを隔てて隣り合う蛍光着色のビーズ５と撚り戻し７を介し貫通路２に通してある。使用効果は本発明に沿うものであった。
【産業上の利用可能性】
【００１４】
本発明が娯楽産業としての魚釣りの便利な仕掛を提供するので仕掛生産の作業を振興するほか、付随する釣り道具の生産も増え、釣用船舶の生産にも影響を及ぼす。
【図面の簡単な説明】
【００１５】
【図１】本発明のてんびん仕掛用の底部が球面状をなし本体が円錐状である錘と釣糸との関係を示す説明図
【図２】本発明のてんびん仕掛用の底部が角錐状をなし本体が底部に比し細長い三角錐状である錘と釣糸との関係を示す説明図
【符号の説明】
【００１６】
１  錘
２  貫通路
３  硬質管
４  軟質弾性管                                                                  ５  ビーズ
６  釣糸
７  撚り戻し
【図１】
2005034035.tif 000003
【図２】
2005034035.tif 000004
【手続補正書】
【提出日】平成16年1月8日(2004.1.8)
【手続補正１】
【補正対象書類名】明細書
【補正対象項目名】０００５
【補正方法】変更
【補正の内容】
【０００５】
本発明は使用において、錘や釣糸が絡むことなく、収納時もかさばらないてんびん仕掛用錘を提供せんとするものである。